(57)【特許請求の範囲】
【請求項１】
鋏の刃部に、枝径寸法に関わらず不特定の枝径に対応し、被切り取り枝を常に把持可能とする切り取り枝把持装置を装着した切り取り枝把持装置付き鋏であって、
切り取り枝把持装置が、鋏の上刃で刃先寄りの位置に、一方の先端部分をピンで位置固定され、このピンを中心軸としてもう一方の端部側を刃の外側にのみ回動自在可能とする押さえ板と、この押さえ板と組み合うことで該切り取り枝把持を可能とするため下刃に固定装着される固定板と、該鋏の支点ピンを中心軸とし巻き終わり端部を上刃の支点寄り部分に掛けて固定しもう一方側の巻き終わり端部を押さえ板の回動自在端部側の上部に掛けることで、下刃に固定される固定板を介して不特定の枝径に自在対応して回動する押さえ板の回動自在端部側に所要とする押さえばね力を構成するスプリング装置と、からなることを特徴とする切り取り枝把持装置付き鋏。
【発明の詳細な説明】
【技術分野】
【０００１】
本発明は、切り取り枝径寸法に関わらず被切り取り枝を把持可能とする切り取り枝把持装置付き鋏に関するものである。
【背景技術】
【０００２】
枝切り鋏のなかで、脚立又は剪定用梯子などを用いることなく高所の枝を切り取ることのできる高枝切り鋏は、剪定用又は刈払い用利器具として広く実用に供されている。
しかし、切り取り鋏としての機能構造から、切り取ると同時に被切り取り枝を把持し採収することはできなかった。
【０００３】
この改善策として、高所枝の採収や果実の枝ごと採収しを可能とするため、該枝を切断と同時に被切り取り枝を把持して落とさずに枝ごと採収するように工夫された高枝切り鋏用のアタッチメントが最近実用に供されている。
このアタッチメントは、一定の枝径寸法範囲内において、鋏としての切断機能を妨げることなく該鋏の上下刃それぞれ一方の側面に固定取り付け又は刃のカバーとして取り付けることで、切断と同時に被切り取り枝を該アタッチメントが挟み把持し、その状態を保持して採収ができるようになされている。
【０００４】
しかし、このアタッチメントは、装着によりいずれも鋏の上下刃に位置固定されるものであることから、切り取り把持可能とする枝径は予め一定寸法内に限定され、鋏自体の有する切断可能寸法範囲を制限することになり、このため切断可能範囲外とする枝径寸法に対しては構造上から無理が多く、例えば切り込みをつけるだけで切断はできないという欠点があった。
【非特許文献１】（株）松本商店  〒７９７−００４４  愛媛県東宇和郡宇和町加茂１５１  （園芸用品欄における  高枝切鋏）
【発明の開示】
【発明が解決しようとする課題】
【０００５】
解決しようとする課題は、枝の切断と同時に被切り取り枝を把持し採収する手段において、切り取り枝把持に用いる固定仕様のアタッチメントでは該鋏自体の有する切断機能が枝径の一定寸法範囲内のみに制限され、鋏自体が有する切断可能範囲における不特定の枝径寸法すべてには対応できない点である。
【課題を解決するための手段】
【０００６】
本発明は、鋏自体の有する切断可能範囲において、鋏の刃部に、不特定の枝径寸法においても切断と同時に被切り取り枝の把持を可能にする切り取り枝把持装置を装着した切り取り枝把持装置付き鋏であって、切り取り枝把持装置が、鋏の上刃で刃先寄りに先端部分を位置固定するピンを中心軸としもう一方側を刃の外側にのみ回動可能とする押さえ板と、この押さえ板と組み合うことで該切り取り枝把持を可能とするため下刃に固定される固定板と、鋏の支点ピンを中心軸としてコイルばねを構成しその巻き終わり端部を上刃の支点寄り部分に掛けもう一方の巻き終わり端部を押さえ板の可動自在側端部に掛けることで、下刃に固定装着されている固定板を介して不特定枝径寸法に自在対応し作動する押さえ板の回動自在端部側に所要とする押さえばね力を構成するスプリング装置と、を機能構成したことを最も主要な特徴とする。
【発明の効果】
【０００７】
本発明の切り取り枝把持装置付き鋏は、枝径寸法に関わらず被切り取り枝の把持を可能とするため、鋏の上刃で、刃先寄りに一方の先端部分を位置固定するピンを中心軸とし、もう一方の端部側を刃の外側にのみ回動可能とする押さえ板に、鋏の下刃に固定装着される固定板を介して被切り取り枝の不特定枝径寸法に対応するため所要の押さえばね力を付加したことは、鋏の枝切り使用時諸条件で切り取り枝の枝径寸法に関わらず対応作動し、固定板を介して押さえ板の回動自在端部側が所要の押圧力をもって刃元寄りでくわえ込み、かつ容易に切断ができるという機能効果と、該鋏の有する切断許容機能を最大限に発揮させることができるという大きな利点がある。
【発明を実施するための最良の形態】
【０００８】
枝切り取り採収作業において、枝径寸法に関わらず被切り取り枝を把持可能とする目的を、下刃に固定装着される固定板を介して不特定枝径に対応し所定の作動を行う押さえ板と、この押さえ板の動作に所要とする押圧力を付加するスプリング装置などからなる最少の部品点数で、該鋏の有する切断可能寸法範囲における該機能を妨げることなく実現した。
【実施例１】
【０００９】
本発明の１実施例で、図１は全体斜視図、図２は図１の右側面図、図３は図２の使用の状態を示す説明図、図４は図３の反対側の側面図である。
【００１０】
本発明の主体は、鋏における不特定枝径切り取り枝把持具系の実装方法にあるので、枝切り鋏や刈込み鋏、剪定鋏等における機能機構系の説明は省略する。
以下図面に基づいて詳細に説明する。
【００１１】
鋏の下刃５の外側側面に、刃部に沿って若干の厚さ寸法を有して鋲１’によって位置固定装着される固定板１と組み合い被切り取り枝９を把持するため同じ厚さ寸法を有する押さえ板２が、上刃４の外側側面に鋏としての切断機能を妨げることなく設けられる。
なお、使用時、被切り取り枝９の把持を確実にするため、固定板１と押さえ板２の向き合う面はそれぞれに荒いギザ状に加工されている。
【００１２】
上刃４の外側側面に設けられる押さえ板２は、上刃４の刃先端部に若干寸法の刃部を残した位置に、一方の先端部分をピン２’により位置固定しかつ回動可能構造とすることで、このピン２’を中心軸として押さえ板２のもう一方の端部側部分が上刃４の外側にのみ回動自在であるようになされている。
その際、押さえ板２の回動自在端部側で上刃４側の下部端部側部分に切り欠き部２”を形成し、向き合う上刃４側面に若干高さ寸法で設けられるストッパ板４’に当接させることで、押さえ板２の回動自在端部側におけるピン２’を中心軸とした上刃４の外側にのみ回動における右回り回動はその位置でストップさせるようにし、該押さえ板２の回動自在端部側を上刃４の外側にのみ左回り回動可能であるようにするが、上刃４には切断機能が妨げられることのないように所定寸法の刃部分が確保されるようになされているものである。
【００１３】
中心軸とするピン２’を介して上刃４の外側にのみ回動可能とされる押さえ板２の一方の端部側が、鋏の使用時、下刃５に固定装着されている固定板１を介して切り取り枝径寸法の諸条件に対応し、ピン２’を中心軸として上刃４の外側で左回り回動して該被切り取り枝９を固定板１とで挟み込み把持を可能とする押さえ板２に押圧力を付加するために所要とする押さえばね力を構成するコイル・スプリング６からなるスプリング装置が設けられる。
スプリング装置のコイル・スプリング６は、押さえ板２を取り付ける上刃４の反対側に位置し、上刃４と下刃５との支点ピン７を中心軸としてばね機構を損なうことなくこの上刃４の側面側に逸脱防止で取り付けられ、巻き終わり端部の一方側をコイル・スプリング６と同じ側で上刃４の支点ピン７寄り位置に設けられるストッパ板８に掛けて脱落することなく固定し、もう一方側を押さえ板２の回動自在端部側の上部で上刃４の峰部分に形成される切り欠き部３と同様に形成される若干長さ寸法の切り欠き部３内に上刃４の側面を介して掛け、固定板１を介して切り取り枝径の諸条件に対応する該回動自在端部側の動作にコイル・スプリング６の巻き終わりの押さえ端部が連動する該切り欠き部３内での移動をスプリング機能が妨げられることなく可能とし、使用時における被切り取り枝９の不特定枝径寸法に対応して作動する押さえ板２の回動自在端部側における所要動作が損なわれることのないようにすることで、被切り取り枝９における所望の把持力機能を可能としている。
【００１４】
このような切り取り枝把持具系の実装形態を採用したので、切り取り枝径寸法に関わらず、該鋏の有する切断機能の範囲内において不特定枝径寸法に対応し、不特定枝径の被切り取り枝の把持を可能にし該枝の採収が容易にできるという効果がある。
【産業上の利用可能性】
【００１５】
鋏の有する切断機能範囲において、不特定枝径寸法に関わらず枝切り取り把持し採収できるので、刈り込み、剪定及び果実の枝ごと採収作業以外に、例えば害虫発生の枝ごと駆除や昆虫の性態観察に必要な枝ごと採集等などの用途にも適用できる。
【図面の簡単な説明】
【００１６】
【図１】切り取り枝把持装置付き鋏の構成を示す全体斜視図である。（実施例１）
【図２】鋏の下刃５に固定板１、上刃４に押さえ板２が取り付けられた状態を示す側面図である。
【図３】図２の使用状態を示す説明図である。
【図４】図３でコイル・スプリング６が装置された状態を示す側面図である。
【符号の説明】
【００１７】
１  固定板
１’  鋲
２  押さえ板
２’  ピン
２”、３  切り欠き部
４  上刃
４’、８  ストッパ板
５  下刃
６  コイル・スプリング
７  支点ピン
９  被切り取り枝
【図１】
0004540990.tif 000002
【図２】
0004540990.tif 000003
【図３】
0004540990.tif 000004
【図４】
0004540990.tif 000005